(57)【特許請求の範囲】
【請求項１】
複数の異なる種別のアクセス網が存在し、移動端末が異なる種別のアクセス網間でセッション確立中にも移動可能であると共に、セッション確立中の一方の移動端末がアクセス網を移動したときに送出したセッション切り替え要求が与えられ、切り替えを認めるか否かを判断するセッション継続判断サーバと、各アクセス網における通信サービス品質を管理する品質管理システムとを有する移動体通信システムにおいて、
上記セッション継続判断サーバが、
全ての通信サービスを提供可能な通信サービス品質の第１状態、一部の通信サービスだけを提供可能な通信サービス品質の第２状態、通信サービスの提供に不向きな通信サービス品質の第３状態のそれぞれの状態に対し、セッション切り替え要求時の切り替えに係るアクションとを対応付けた、ネットワーク管理者による第１のポリシー情報を管理するネットワークポリシー管理手段と、
セッション切り替え要求が送出した上記移動端末のアクセス網間の移動方向毎に、上記第１状態及び上記第２状態のそれぞれの状態に対し、セッション切り替え要求時の切り替えに係るアクションとを対応付けた、ユーザによる第２のポリシー情報を管理するユーザポリシー管理手段と、
セッション切り替え要求が与えられたときに、上記品質管理システムから移動先のアクセス網における通信サービス品質の状態を取り込む通信サービス品質取込手段と、
取り込んだ通信サービス品質の状態と、上記ネットワークポリシー管理手段で管理されている上記第１のポリシー情報とに基づくと共に、適用する第1のポリシー情報のアクションが「第２のポリシー情報に従う」の場合に、取り込んだ通信サービス品質の状態と、上記ネットワークポリシー管理手段及び上記ユーザポリシー管理手段で管理されている第１及び第２のポリシー情報に基づき、セッションの切り替えを認めるか否かを決定する切替判断手段とを有し、
上記ネットワークポリシー管理手段は、上記第１状態及び上記第２状態に対しては、「切り替え」、「切り替えなし」、「第２のポリシー情報に従う」、の３つのアクション候補の中からネットワーク管理者が選択した候補を管理すると共に、上記第３状態に対しては、ネットワーク管理者による選択を認めずに、固定化されているアクションである「切り替えなし」を管理し、
上記ユーザポリシー管理手段は、移動方向がいずれであっても、上記第１状態及び上記第２状態に対して、「切り替え」、「切り替えなし」、の２つのアクション候補の中からユーザが選択した候補を管理する
ことを特徴とする移動体通信システム。
【請求項２】
少なくとも一部の上記移動端末が、
当該移動端末のアクセス網間の移動方向と、セッション切り替え要求の送出有無とを対応付けた第３のポリシー情報を管理する端末ポリシー管理手段と、
当該移動端末が、セッション確立中に異なるアクセス網へ移動したときに、上記第３のポリシー情報に基づき、セッション切り替え要求の送出有無を決定する要求送出決定手段とを有する
ことを特徴とする請求項１に記載の移動体通信システム。
【請求項３】
複数の異なる種別のアクセス網が存在し、移動端末が異なる種別のアクセス網間でセッション確立中にも移動可能であると共に、セッション確立中の一方の移動端末がアクセス網を移動したときに送出したセッション切り替え要求が与えられ、切り替えを認めるか否かを判断するセッション継続判断サーバと、各アクセス網における通信サービス品質を管理する品質管理システムとを有する移動体通信システムにおけるセッション継続判断サーバにおいて、
全ての通信サービスを提供可能な通信サービス品質の第１状態、一部の通信サービスだけを提供可能な通信サービス品質の第２状態、通信サービスの提供に不向きな通信サービス品質の第３状態のそれぞれの状態に対し、セッション切り替え要求時の切り替えに係るアクションとを対応付けた、ネットワーク管理者による第１のポリシー情報を管理するネットワークポリシー管理手段と、
セッション切り替え要求が送出した上記移動端末のアクセス網間の移動方向毎に、上記第１状態及び上記第２状態のそれぞれの状態に対し、セッション切り替え要求時の切り替えに係るアクションとを対応付けた、ユーザによる第２のポリシー情報を管理するユーザポリシー管理手段と、
セッション切り替え要求が与えられたときに、上記品質管理システムから移動先のアクセス網における通信サービス品質の状態を取り込む通信サービス品質取込手段と、
取り込んだ通信サービス品質の状態と、上記ネットワークポリシー管理手段で管理されている上記第１のポリシー情報とに基づくと共に、適用する第1のポリシー情報のアクションが「第２のポリシー情報に従う」の場合に、取り込んだ通信サービス品質の状態と、上記ネットワークポリシー管理手段及び上記ユーザポリシー管理手段で管理されている第１及び第２のポリシー情報に基づき、セッションの切り替えを認めるか否かを決定する切替判断手段とを有し、
上記ネットワークポリシー管理手段は、上記第１状態及び上記第２状態に対しては、「切り替え」、「切り替えなし」、「第２のポリシー情報に従う」、の３つのアクション候補の中からネットワーク管理者が選択した候補を管理すると共に、上記第３状態に対しては、ネットワーク管理者による選択を認めずに、固定化されているアクションである「切り替えなし」を管理し、
上記ユーザポリシー管理手段は、移動方向がいずれであっても、上記第１状態及び上記第２状態に対して、「切り替え」、「切り替えなし」、の２つのアクション候補の中からユーザが選択した候補を管理する
ことを特徴とするセッション継続判断サーバ。
【請求項４】
複数の異なる種別のアクセス網が存在し、移動端末が異なる種別のアクセス網間でセッション確立中にも移動可能であると共に、セッション確立中の一方の移動端末がアクセス網を移動したときに送出したセッション切り替え要求が与えられ、切り替えを認めるか否かを判断するセッション継続判断サーバと、各アクセス網における通信サービス品質を管理する品質管理システムとを有する移動体通信システムのセッション継続方法において、
上記セッション継続判断サーバは、ネットワークポリシー管理手段と、ユーザポリシー管理手段と、通信サービス品質取込手段と、切替判断手段とを有し、
上記ネットワークポリシー管理手段は、全ての通信サービスを提供可能な通信サービス品質の第１状態及び一部の通信サービスだけを提供可能な通信サービス品質の第２状態に対しては、「切り替え」、「切り替えなし」、「第２のポリシー情報に従う」、の３つのアクション候補の中からネットワーク管理者が選択した候補を管理すると共に、通信サービスの提供に不向きな通信サービス品質の第３状態に対しては、ネットワーク管理者による選択を認めずに、固定化されているアクションである「切り替えなし」を管理することにより、通信サービス品質のそれぞれの状態に対し、セッション切り替え要求時の切り替えに係るアクションとを対応付けた、ネットワーク管理者による第１のポリシー情報を管理し、
上記ユーザポリシー管理手段は、セッション切り替え要求が送出した上記移動端末のアクセス網間の移動方向がいずれであっても、上記第１状態及び上記第２状態に対して、「切り替え」、「切り替えなし」、の２つのアクション候補の中からユーザが選択した候補を管理することにより、上記移動方向毎に、上記第１状態及び上記第２状態のそれぞれの状態に対し、セッション切り替え要求時の切り替えに係るアクションとを対応付けた、ユーザによる上記第２のポリシー情報を管理し、
上記通信サービス品質取込手段は、セッション切り替え要求が与えられたときに、上記品質管理システムから移動先のアクセス網における通信サービス品質の状態を取り込み、
上記切替判断手段は、取り込んだ通信サービス品質の状態と、上記ネットワークポリシー管理手段で管理されている上記第１のポリシー情報とに基づくと共に、適用する第1のポリシー情報のアクションが「第２のポリシー情報に従う」の場合に、取り込んだ通信サービス品質の状態と、上記ネットワークポリシー管理手段及び上記ユーザポリシー管理手段で管理されている第１及び第２のポリシー情報に基づき、セッションの切り替えを認めるか否かを決定する
ことを特徴とするセッション継続方法。
【発明の詳細な説明】
【技術分野】
【０００１】
本発明は移動体通信システム、セッション継続判断サーバ及びセッション継続方法に関し、例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ；第３世代パートナーシップ・プロジェクト）で検討されているＦＭＣ（Ｆｉｘｅｄ  Ｍｏｂｌｉｅ  Ｃｏnｖｅｒｇｅｎｃｅ；固定通信・移動通信の融合）、及び、ＶＣＣ（Ｖｏｉｃｅ  Ｃａｌｌ  Ｃｏｎｔｉｎｕｉｔｙ；音声呼の継続性）を前提にした、セッション制御の継続性に適用し得るものである。
【背景技術】
【０００２】
１台の携帯端末を使って、外出時にはＣＳ（Ｃｉｒｃｕｉｔ  Ｓｗｉｔｃｈｉｎｇ；回線交換）網の電話サービスを利用し、在宅時あるいはオフィス内では、ＰＳ（Ｐａｃｋｅｔ  Ｓｗｉｔｃｈｉｎｇ；パケット交換）網のＩＭＳ（ＩＰ  Ｍｕｌｔｉｍｅｄｉａ  Ｓｕｂｓｙｓｔｅｍ）マルチメディア電話サービスを利用する、技術的な仕組みが整ってきている（なお、ＰＳ網、及び、ＰＳ網を収容するＩＭＳコア網を併せて、この明細書ではＩＭＳ網と呼ぶこととする）。電話呼を着信させるＣＳ網／ＩＭＳ網の選択や、ＣＳ網／ＩＭＳ網間で途切れる電話呼を継続して利用できるように、呼（セッション）やサービス制御レベルでの移動性（網間の呼転送）を提供する仕組みが、ＶＣＣである。
【０００３】
３ＧＰＰのＶＣＣ検討においては、ＣＳ網／ＩＭＳ網を跨ってセッションを継続しつつ、サービスを実現する上でのセッション制御方式に関して、ＣＳ網とＩＭＳ網の連携について規定されている（非特許文献１〜３参照）。
【０００４】
また、ＩＭＳ網での一般的な通信は、ネットワークのＱｏＳ（Ｑｕａｌｉｔｙ  ｏｆ  Ｓｅｒｖｉｃｅ；通信サービス品質）を十分に確保してサービスを実現することを検討している。特許文献１では、ＣＳ網／ＩＭＳ網を跨ってサービスを実現する際における、ＱｏＳの確保手順の一例が記載されている。
【特許文献１】特開２００７−３２５１９１号公報
【非特許文献１】３ＧＰＰ  ＴＳ２４．２２９
【非特許文献２】３ＧＰＰ  ＴＲ２３．８０６
【非特許文献３】３ＧＰＰ  ＴＳ２３．２０６
【発明の開示】
【発明が解決しようとする課題】
【０００５】
しかし、非特許文献１〜非特許文献３では、ＣＳ網／ＩＭＳ網を跨ってサービスを実現する上で、ＱｏＳの確保方式に関して十分に言及されていない。
【０００６】
上述したように、特許文献１では、ＱｏＳの確保手順の一例が述べられているが、ＱｏＳを確保できない場合の動作等には触れられておらず、言い換えると、ＱｏＳを確保できない場合にどのように動作させるかが考慮されていない。ＱｏＳを確保できない場合は、例えば、テレビ電話で通信していたユーザが、網が変わることで帯域不足になるような場合である。一部のユーザは、帯域不足でテレビ電話としての通信ができなくとも、音声通話ができることを望むと思われる。
【０００７】
また、特許文献１では、特に、ＩＭＳコア網側のリソース確保や帯域確保については明確に記載されていない。
【０００８】
本発明は、以上の課題に鑑みてなされたものであり、異なるアクセス網を跨ってサービスを実現する際において、ＱｏＳを考慮したユーザなどの要望を反映させて、セッションの継続性を確保できる移動体通信システム、セッション継続判断サーバ及びセッション継続方法を提供しようとしたものである。
【課題を解決するための手段】
【０００９】
第１の本発明は、複数の異なる種別のアクセス網が存在し、移動端末が異なる種別のアクセス網間でセッション確立中にも移動可能であると共に、セッション確立中の一方の移動端末がアクセス網を移動したときに送出したセッション切り替え要求が与えられ、切り替えを認めるか否かを判断するセッション継続判断サーバと、各アクセス網における通信サービス品質を管理する品質管理システムとを有する移動体通信システムにおいて、上記セッション継続判断サーバが、（１）全ての通信サービスを提供可能な通信サービス品質の第１状態、一部の通信サービスだけを提供可能な通信サービス品質の第２状態、通信サービスの提供に不向きな通信サービス品質の第３状態のそれぞれの状態に対し、セッション切り替え要求時の切り替えに係るアクションとを対応付けた、ネットワーク管理者による第１のポリシー情報を管理するネットワークポリシー管理手段と、（２）セッション切り替え要求が送出した上記移動端末のアクセス網間の移動方向毎に、上記第１状態及び上記第２状態のそれぞれの状態に対し、セッション切り替え要求時の切り替えに係るアクションとを対応付けた、ユーザによる第２のポリシー情報を管理するユーザポリシー管理手段と、（３）セッション切り替え要求が与えられたときに、上記品質管理システムから移動先のアクセス網における通信サービス品質の状態を取り込む通信サービス品質取込手段と、（４）取り込んだ通信サービス品質の状態と、上記ネットワークポリシー管理手段で管理されている上記第１のポリシー情報とに基づくと共に、適用する第1のポリシー情報のアクションが「第２のポリシー情報に従う」の場合に、取り込んだ通信サービス品質の状態と、上記ネットワークポリシー管理手段及び上記ユーザポリシー管理手段で管理されている第１及び第２のポリシー情報に基づき、セッションの切り替えを認めるか否かを決定する切替判断手段とを有し、（５）上記ネットワークポリシー管理手段は、上記第１状態及び上記第２状態に対しては、「切り替え」、「切り替えなし」、「第２のポリシー情報に従う」、の３つのアクション候補の中からネットワーク管理者が選択した候補を管理すると共に、上記第３状態に対しては、ネットワーク管理者による選択を認めずに、固定化されているアクションである「切り替えなし」を管理し、（６）上記ユーザポリシー管理手段は、移動方向がいずれであっても、上記第１状態及び上記第２状態に対して、「切り替え」、「切り替えなし」、の２つのアクション候補の中からユーザが選択した候補を管理することを特徴とする。
【００１０】
第２の本発明は、複数の異なる種別のアクセス網が存在し、移動端末が異なる種別のアクセス網間でセッション確立中にも移動可能であると共に、セッション確立中の一方の移動端末がアクセス網を移動したときに送出したセッション切り替え要求が与えられ、切り替えを認めるか否かを判断するセッション継続判断サーバと、各アクセス網における通信サービス品質を管理する品質管理システムとを有する移動体通信システムにおけるセッション継続判断サーバにおいて、（１）全ての通信サービスを提供可能な通信サービス品質の第１状態、一部の通信サービスだけを提供可能な通信サービス品質の第２状態、通信サービスの提供に不向きな通信サービス品質の第３状態のそれぞれの状態に対し、セッション切り替え要求時の切り替えに係るアクションとを対応付けた、ネットワーク管理者による第１のポリシー情報を管理するネットワークポリシー管理手段と、（２）セッション切り替え要求が送出した上記移動端末のアクセス網間の移動方向毎に、上記第１状態及び上記第２状態のそれぞれの状態に対し、セッション切り替え要求時の切り替えに係るアクションとを対応付けた、ユーザによる第２のポリシー情報を管理するユーザポリシー管理手段と、（３）セッション切り替え要求が与えられたときに、上記品質管理システムから移動先のアクセス網における通信サービス品質の状態を取り込む通信サービス品質取込手段と、（４）取り込んだ通信サービス品質の状態と、上記ネットワークポリシー管理手段で管理されている上記第１のポリシー情報とに基づくと共に、適用する第1のポリシー情報のアクションが「第２のポリシー情報に従う」の場合に、取り込んだ通信サービス品質の状態と、上記ネットワークポリシー管理手段及び上記ユーザポリシー管理手段で管理されている第１及び第２のポリシー情報に基づき、セッションの切り替えを認めるか否かを決定する切替判断手段とを有し、（５）上記ネットワークポリシー管理手段は、上記第１状態及び上記第２状態に対しては、「切り替え」、「切り替えなし」、「第２のポリシー情報に従う」、の３つのアクション候補の中からネットワーク管理者が選択した候補を管理すると共に、上記第３状態に対しては、ネットワーク管理者による選択を認めずに、固定化されているアクションである「切り替えなし」を管理し、（６）上記ユーザポリシー管理手段は、移動方向がいずれであっても、上記第１状態及び上記第２状態に対して、「切り替え」、「切り替えなし」、の２つのアクション候補の中からユーザが選択した候補を管理することを特徴とする。
【００１１】
第３の本発明は、複数の異なる種別のアクセス網が存在し、移動端末が異なる種別のアクセス網間でセッション確立中にも移動可能であると共に、セッション確立中の一方の移動端末がアクセス網を移動したときに送出したセッション切り替え要求が与えられ、切り替えを認めるか否かを判断するセッション継続判断サーバと、各アクセス網における通信サービス品質を管理する品質管理システムとを有する移動体通信システムのセッション継続方法において、上記セッション継続判断サーバは、ネットワークポリシー管理手段と、ユーザポリシー管理手段と、通信サービス品質取込手段と、切替判断手段とを有し、（１）上記ネットワークポリシー管理手段は、全ての通信サービスを提供可能な通信サービス品質の第１状態及び一部の通信サービスだけを提供可能な通信サービス品質の第２状態に対しては、「切り替え」、「切り替えなし」、「第２のポリシー情報に従う」、の３つのアクション候補の中からネットワーク管理者が選択した候補を管理すると共に、通信サービスの提供に不向きな通信サービス品質の第３状態に対しては、ネットワーク管理者による選択を認めずに、固定化されているアクションである「切り替えなし」を管理することにより、通信サービス品質のそれぞれの状態に対し、セッション切り替え要求時の切り替えに係るアクションとを対応付けた、ネットワーク管理者による第１のポリシー情報を管理し、（２）上記ユーザポリシー管理手段は、セッション切り替え要求が送出した上記移動端末のアクセス網間の移動方向がいずれであっても、上記第１状態及び上記第２状態に対して、「切り替え」、「切り替えなし」、の２つのアクション候補の中からユーザが選択した候補を管理することにより、上記移動方向毎に、上記第１状態及び上記第２状態のそれぞれの状態に対し、セッション切り替え要求時の切り替えに係るアクションとを対応付けた、ユーザによる上記第２のポリシー情報を管理し、（３）上記通信サービス品質取込手段は、セッション切り替え要求が与えられたときに、上記品質管理システムから移動先のアクセス網における通信サービス品質の状態を取り込み、（４）上記切替判断手段は、取り込んだ通信サービス品質の状態と、上記ネットワークポリシー管理手段で管理されている上記第１のポリシー情報とに基づくと共に、適用する第1のポリシー情報のアクションが「第２のポリシー情報に従う」の場合に、取り込んだ通信サービス品質の状態と、上記ネットワークポリシー管理手段及び上記ユーザポリシー管理手段で管理されている第１及び第２のポリシー情報に基づき、セッションの切り替えを認めるか否かを決定することを特徴とする。
【発明の効果】
【００１２】
本発明によれば、異なるアクセス網を跨ってサービスを実現する際において、通信サービス品質を考慮したユーザなどの要望を反映させて、セッションの継続性を確保することができる。
【発明を実施するための最良の形態】
【００１３】
（Ａ）主たる実施形態
以下、本発明による移動体通信システム、セッション継続判断サーバ及びセッション継続方法の一実施形態を、図面を参照しながら詳述する。この実施形態の移動体通信システムは、移動端末（ＦＭＣ端末）がＣＳ網／ＩＭＳ網を跨って移動可能なものである。
【００１４】
（Ａ−１）実施形態の構成
図１は、実施形態の移動体通信システムにおけるネットワークの概略構成を示すブロック図である。
【００１５】
図１において、実施形態の移動体通信システムは、ＦＭＣ端末７（７−１、７−２）が回線交換網（例えば、既存携帯網）１又はＩＭＳ網２のいずれにも収容可能なものである。回線交換網１は、回線交換を実行する交換機（ＭＳＣ（Ｍｏｂｉｌｅ  Ｓｗｉｔｃｈｉｎｇ  Ｃｅｎｔｅｒ）；携帯用交換機）３を有し、ＩＭＳ網２は、呼セッションの制御機能を担当する各種（Ｐ、Ｓ、Ｉ）のＣＳＣＦ（Ｃａｌｌ  Ｓｅｓｓｉｏｎ  Ｃｏｎｔｒｏｌ  Ｆｕｎｃｔｉｏｎ）が該当するセッション制御サーバ４を有している。この実施形態の場合、セッション制御を継続するために、ＩＭＳ網２には、セッション継続サービスサーバ（実施形態のセッション継続判断サーバ）５が設けられている。セッション継続サービスサーバ５は、アプリケーションサーバ（ＡＳ）の１種類として設けられている。ＱｏＳ管理システム６は、例えば、ＲＡＣＦ（Ｒｅｓｏｕｒｃｅ  ａｎｄ  Ａｄｍｉｓｓｉｏｎ  Ｃｏｎｔｒｏｌ  Ｆｕｎｃｔｉｏｎ）が該当し、回線交換網１やＩＭＳ網２の帯域を管理しているものである。ＦＭＣ端末７は、各網１、２の配下に移動した際に切り替え指示を発信するものである。
【００１６】
この実施形態の場合、セッション制御を継続するための通信は、回線交換網１の交換機３とＩＭＳ網（ＩＰ網）２のセッション制御サーバ４及びセッション継続サービスサーバ５間でセッションを確立し、帯域を管理するＱｏＳ管理システム６と連動することで実現される。また、サービスを実現する上での帯域等はＱｏＳ管理システム６にてリアルタイムに管理し、セッション切り替え要求時などにサービス継続サービスサーバ５からアクセスして、後述するポリシー情報と連携してセッション切り替え可否を判断する。
【００１７】
図２は、セッション継続サービスサーバ５の内部の機能的構成を示すブロック図である。セッション継続サービスサーバ５は、通信機能を有するサーバに所定のプログラムが搭載されることで実現されるとしても、機能的には、図２で表すことができる。
【００１８】
図２において、セッション継続サービスサーバ５は、サービス制御部１１、信号処理部１２、ポリシー制御部１３、ユーザ情報管理部１４及びポリシー情報管理部１５を有する。
【００１９】
サービス制御部１１は、セッション切り替え制御を実施するものである。信号処理部１２は、信号の送受信制御を行うものである。ポリシー制御部１３は、ポリシー情報を判断するものである。ユーザ情報管理部１４は、ユーザとの契約データ等を管理するものである。ポリシー情報管理部１５は、ネットワーク及びユーザのポリシー情報を管理するものである。なお、ポリシー情報管理部１５は、ネットワーク管理者などからの操作などに応じて、ネットワーク及びユーザのポリシー情報の登録や更新も行うものである。
【００２０】
また、セッション継続サービスサーバ５は、交換機３、１又は複数のセッション制御サーバ４、及び、ＱｏＳ管理システム６と通信可能なものである。セッション継続サービスサーバ５は、回線交換網１の携帯用交換機３とはＳＳ７（Ｓｉｇｎａｌｉｎｇ  Ｓｙｓｔｅｍ  Ｎｏ．７；Ｎｏ．７共通線信号方式）経由で通信を行い、ＩＭＳ網２のセッション制御サーバ４とはＩＰ（ＳＩＰ）ベースで通信を行う。セッション継続サービスサーバ５は、ＱｏＳ管理システム６とは、各ネットワーク、事業者要件に合わせて、ＩＰベース、ＳＳ７ベースでアクセスできるようになされている。
【００２１】
図３及び図４はそれぞれ、ポリシー情報管理部１５が管理しているネットワーク及びユーザのポリシー情報のデータ構成を示す説明図である。
【００２２】
図３において、ネットワークのポリシー情報１５Ｎは、ＱｏＳ管理システム６から提供されたセッションの切替え先の帯域状態の種類と、セッション継続サービスサーバ５（のサービス制御部１１）がとるアクションとを記述するものである。図３の例では、帯域状態として、「サービス提供可能」、「音声通話サービスのみ提供可能」、「サービス提供不可」の３種類が用意されている。各種類の具体的な帯域（空き容量）の幅は、構築するシステムやネットワーク管理者の設定によって異なるが、帯域にほとんど余裕がないときが「サービス提供不可」であり、帯域に十分な余裕があるときが「サービス提供可能」であり、その中間が「音声通話サービスのみ提供可能」である。「サービス提供可能」及び「音声通話サービスのみ提供可能」の場合には、設定可能なアクションは、「ユーザポリシーに従う」、「セッション切り替え実施」、「セッション切り替えなし」の３種類であり、これら３種類の中から、ネットワーク管理者などが選択（設定）する。「サービス提供不可」の場合には、選択の余地はなく、アクションは「セッション切り替えなし」になる。
【００２３】
図４において、ユーザのポリシー情報１５Ｕは、交換機３又はセッション制御サーバ４からの情報に基づいて捉える切り替え方向と、ＱｏＳ管理システム６から提供されたセッションの切替え先の帯域状態の種類と、セッション継続サービスサーバ５（のサービス制御部１１）がとるアクションとを記述するものである。切り替え方向は、「回線交換網１からＩＭＳ網２への方向」と、「ＩＭＳ網２から回線交換網１への方向」との２種類である。ユーザのポリシー情報１５Ｕにおける帯域状態は、「サービス提供可能」及び「音声通話サービスのみ提供可能」の２種類であり、「サービス提供不可」の場合にはネットワークのポリシー情報１５Ｎでのアクションを優先させる。「サービス提供可能」及び「音声通話サービスのみ提供可能」共に、設定可能なアクションは、「セッション切り替え実施」、「セッション切り替えなし」の２種類であり、これら２種類の中から、ユーザなどが選択（設定）する。
【００２４】
図５及び図６はそれぞれ、具体的に設定されたネットワーク及びユーザのポリシー情報のデータ構成を示している。
【００２５】
（Ａ―２）実施形態の動作
次に、実施形態の移動体通信システムにおけるセッション継続動作（実施形態のセッション継続方法）、特に、ポリシー情報に従った動作を、図面を参照しながら詳述する。ここで、図７は、セッション継続サービスサーバ５におけるセッション継続動作を示すフローチャートである。
【００２６】
ＦＭＣ端末７−１、７−２間で通信セッションを確立したときから、そのセッションについて、図７に示す処理を開始する（ステップＳ１）。
【００２７】
回線交換網１からＩＭＳ網２へ、又は、ＩＭＳ網２から回線交換網１へ移動したＦＭＣ端末７若しくはそれを収容している交換機３若しくはセッション制御サーバ４から、セッション切り替え要求が送出され、セッション継続サービスサーバ５でその切り換え要求を受信する（ステップＳ２）。
【００２８】
このとき、セッション継続サービスサーバ５は、ＱｏＳ管理システム６から少なくとも切り替え先での帯域の状態を収集する（ステップＳ３）。そして、収集した帯域状態と、ネットワークのポリシー情報１５Ｎとを比較する（ステップＳ４）。
【００２９】
比較した結果、帯域確保できず「サービス提供不可」の場合であれば、切り替え処理を実施しない（できない）と判断し、要求に対してＮＧ応答する（ステップＳ５）。一方、比較した結果、「サービス提供可能」又は「音声通話サービスのみ提供可能」と判断した場合には、ネットワークのポリシー情報１５Ｎの設定を参照する（ステップＳ６）。
【００３０】
ネットワークポリシー情報１５Ｎを参照した結果、「セッション切り替え実施」の場合には、切り替え処理を実施する（ステップＳ７）。ネットワークポリシー情報１５Ｎを参照した結果、「セッション切り替えなし」の場合には、切り替え処理を実施せず、要求に対してＮＧ応答をする（ステップＳ８）。ネットワークポリシー情報１５Ｎを参照した結果、「ユーザポリシーに従う」の場合には、ユーザポリシー情報１５Ｕの設定条件に従い、端末の移動方向、帯域状態等に合致した処理を実施する（ステップＳ９）。
【００３１】
図８は、実施形態におけるセッション継続動作の第１例を示す各部シーケンス図である。この例は、ネットワーク及びユーザのポリシー情報１５Ｎ及び１５Ｕが、上述した図５及び図６に示す設定内容の場合の例となっている。
【００３２】
当初は、回線交換網１配下のＦＭＣ端末７−１と、ＩＭＳ網２配下のＦＭＣ端末７−２とが、ＩＭＳ網２−回線交換網１間でセッションを確立している状態にあり（ステップＳ５１）、この状態から、ＦＭＣ端末７−１がＩＭＳ網２に移動したとする（ステップＳ５２）。
【００３３】
ＩＭＳ網２に移動したＦＭＣ端末７−１は、セッション制御サーバ４に対してセッション切り替え要求を送出し（ステップＳ５３）、セッション制御サーバ４は、受信したセッション切り替え要求をセッション継続サービスサーバ５に転送する（ステップＳ５４）。
【００３４】
セッション切り替え要求を受信したセッション継続サービスサーバ５は、ＱｏＳ管理システム６からＩＭＳ網２での帯域状態を取り込む（ステップＳ５５）。ここでは、帯域状態が「音声通話サービスのみ提供可能」であったとする。
【００３５】
ネットワーク（ＮＷ）のポリシー情報１５Ｎを参照した所、帯域状態「音声通話サービスのみ提供可能」については、「ユーザポリシーに従う」であったとする（ステップＳ５６）。そこで、セッション継続サービスサーバ５は、ユーザのポリシー情報１５Ｕを参照する（ステップＳ５７）。切り替え方向「回線交換網１→ＩＭＳ網２」における帯域状態「音声通話サービスのみ提供可能」についてのアクションが「セッション切り替えなし」であると、セッション継続サービスサーバ５は、セッション制御サーバ４に「切り替えＮＧ」を応答し（ステップＳ５８）、セッション制御サーバ４は、要求元のＦＭＣ端末７−１に対し、「切り替えＮＧ」を応答する（ステップＳ５９）。
【００３６】
これにより、ＦＭＣ端末７−１がＩＭＳ網２に移動しても、当初の状態と同様に、言い換えると、ＩＭＳ網２−回線交換網１間でセッションを確立している状態のまま（セッションを開放せずに）通信を継続する（ステップＳ６０）。
【００３７】
図９は、実施形態におけるセッション継続動作の第２例を示す各部シーケンス図である。この例も、ネットワーク及びユーザのポリシー情報１５Ｎ及び１５Ｕが、上述した図５及び図６に示す設定内容の場合の例となっている。
【００３８】
当初は、共にＩＭＳ網２配下のＦＭＣ端末７−３及び７−４が、ＩＭＳ網２でセッションを確立している状態にあり（ステップＳ１０１）、この状態から、ＦＭＣ端末７−３が回線交換網１に移動したとする（ステップＳ１０２）。
【００３９】
回線交換網１に移動したＦＭＣ端末７−３は、交換機３に対してセッション切り替え要求を送出するが（ステップＳ１０３）、このセッション切り替え要求が、交換機３及びセッション制御サーバ４を順次介して、セッション継続サービスサーバ５に到達する（ステップＳ１０４、Ｓ１０５）。
【００４０】
セッション切り替え要求を受信したセッション継続サービスサーバ５は、ＱｏＳ管理システム６から回線交換網１での帯域状態を取り込む（ステップＳ１０６）。ここでは、帯域状態が「サービス提供可能」であったとする。
【００４１】
ネットワーク（ＮＷ）のポリシー情報１５Ｎを参照した所、帯域状態「サービス提供可能」については、「ユーザポリシーに従う」であったとする（ステップＳ１０７）。そこで、セッション継続サービスサーバ５は、ユーザのポリシー情報１５Ｕを参照する（ステップＳ１０８）。切り替え方向「ＩＭＳ網２→回線交換網１」における帯域状態「サービス提供可能」についてのアクションが「セッション切り替え実施」であると、セッション継続サービスサーバ５は、セッション制御サーバ４に「切り替え応答」を送出し（ステップＳ１０９）、セッション制御サーバ４及び交換機３を順次介して、要求元のＦＭＣ端末７−３に対し、「切り替え応答」が到達する（ステップＳ１１０、Ｓ１１１）。
【００４２】
これにより、ＦＭＣ端末７−３及び７−４について、ＩＭＳ網２−回線交換網１間でセッションを確立する（ステップＳ１１２）。
【００４３】
セッション継続サービスサーバ５は、「切り替え応答」を送出したときには、その後、要求元のＦＭＣ端末７−３のＩＭＳセッションの開放を、セッション制御サーバ４に指示し（ステップＳ１１３）、セッション制御サーバ４は、ＦＭＣ端末７−３のＩＭＳセッションを開放させる（ステップＳ１１４）。
【００４４】
なお、セッションを切り替えると決定した後のシーケンスは、既存のものと同様である。この実施形態は、移動に伴ってセッションを切り替えるか否かの判定方法に特徴を有しているものである。
【００４５】
（Ａ−３）実施形態の効果
上記実施形態によれば、サービスを提供するセッション継続サービスサーバが、ネットワーク及ぶユーザのポリシー情報と、帯域状態とに基づいて、セッションの継続、切替を判定するようにしたので、ユーザに対して、品質を保証した上で、ユーザの要求にあったサービスを実現することができる。
【００４６】
例えば、サービス提供をするキャリア（通信事業者）依存になるが、ＩＭＳ網での通信が回線交換網での通信よりも安価で提供される場合、ＩＭＳ網から回線交換網へ移動したときでも、ＩＭＳ網で通信可能な範囲でできるだけ通信し、回線交換網へ切り替えないようにすることも可能である。また例えば、網間の移動に伴って、テレビ電話で通話していたユーザが、音声通話しかできなくなったとしても、音声通話だけでも通信の継続を望むユーザに対してはサービスを継続することができる。
【００４７】
（Ｂ）他の実施形態
上記実施形態の説明においても、種々変形実施形態に言及したが、さらに、以下に例示するような変形実施形態を挙げることができる。
【００４８】
上記実施形態では、セッション制御サーバ４、セッション継続サービスサーバ５とが別個のように説明したが、セッション制御サーバ４及びセッション継続サービスサーバ５は、物理的に同一サーバであっても構わない。
【００４９】
上記実施形態は、ポリシー情報を、セッション継続サービスサーバ５で管理させるものを示したが、ポリシー情報を移動端末に持たせるようにしても良い。例えば、少なくとも一部の移動端末が、移動方向（切り替え方向）毎に切り替え要求を送出するか否かを記述したポリシー情報を持ち、他の網に移動したときに、内蔵するポリシー情報に従って、切り替え要求を送出するか否かを判断するようにしても良い。この場合において、セッション継続サービスサーバ５におけるユーザポリシー情報の管理を止めるようにしても良く、また、この場合であっても、セッション継続サービスサーバ５がユーザポリシー情報を管理し、利用するようにしても良い。
【００５０】
上記実施形態の説明では、セッション継続サービスサーバ５とＱｏＳ管理システム６との情報授受の具体的なプロトコルには言及しなかったが、ＩＰ網、ＳＳ７網間で連携できるのであれば、特に、プロトコルは依存しない。例えば、ＮＧＮ（Ｎｅｘｔ  Ｇｅｎｅｒａｔｉｏｎ  Ｎｅｔｗｏｒｋ）で検討されているＲＡＣＦとの連携方式等を適用することも考えられる。
【００５１】
ネットワークポリシー情報やユーザポリシー情報の管理（格納）方法は、上述した図３〜図６に示した方法に限定されず、必要な情報を管理できるのであれば、データ構成や格納方法は任意である。
【００５２】
上記実施形態では、ユーザポリシー情報が「帯域状態」も条件にするものを示したが、「移動方向（切り替え方向）」のみを条件としてポリシー情報を設定するようにしても良い。
【００５３】
上記実施形態の説明では、「帯域状態」が通信帯域の余裕状態として説明したが、帯域だけでなく、エラー率などの周囲雑音環境等を反映させたものであっても良い。すなわち、ＱｏＳの評価値をネットワークポリシー情報やユーザポリシー情報の条件に利用するようにしても良い。
【００５４】
本発明の移動体通信システムの適用対象は、３ＧＰＰで検討されているＦＭＣに係るシステムに限定されるものではなく、複数の異なる種別のアクセス網が存在し、移動端末が異なる種別のアクセス網間で移動可能なものであれば、本発明を適用することができる。
【００５５】
上記実施形態では、ネットワークポリシー情報の中でユーザポリシー情報を参照することを記述するものを示したが、ユーザポリシー情報を先に参照し、規定が存在しない場合や、ネットワークポリシー情報の参照を記述している場合に、ネットワークポリシー情報を参照するようにしても良い。
【図面の簡単な説明】
【００５６】
【図１】実施形態の移動体通信システムにおけるネットワークの概略構成を示すブロック図である。
【図２】実施形態におけるセッション継続サービスサーバの内部の機能的構成を示すブロック図である。
【図３】実施形態におけるネットワークのポリシー情報のデータ構成を示す説明図である。
【図４】実施形態におけるユーザのポリシー情報のデータ構成を示す説明図である。
【図５】実施形態におけるネットワークのポリシー情報の設定例を示す説明図である。
【図６】実施形態におけるユーザのポリシー情報の設定例を示す説明図である。
【図７】実施形態のセッション継続サービスサーバにおけるセッション継続動作を示すフローチャートである。
【図８】実施形態におけるセッション継続動作の第１例を示す各部シーケンス図である。
【図９】実施形態におけるセッション継続動作の第２例を示す各部シーケンス図である。
【符号の説明】
【００５７】
１…回線交換網（既存携帯網）、２…ＩＭＳ網、３…交換機（携帯用交換機）、４…セッション制御サーバ、５…セッション継続サービスサーバ、６…ＱｏＳ管理システム、７、７−１、７−２…ＦＭＣ端末、１１…サービス制御部、１２…信号処理部、１３…ポリシー制御部、１４…ユーザ情報管理部、１５…ポリシー情報管理部。
【図１】
0004946933.tif 000002
【図２】
0004946933.tif 000003
【図３】
0004946933.tif 000004
【図４】
0004946933.tif 000005
【図５】
0004946933.tif 000006
【図６】
0004946933.tif 000007
【図７】
0004946933.tif 000008
【図８】
0004946933.tif 000009
【図９】
0004946933.tif 000010